【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の周波数上で複数の送信ポイント（ＴＰ）によって、または第２の周波数上でリレーによって、サービス提供されることができる少なくとも１つのＵＥを識別することと、
前記ＵＥが前記リレーによってサービス提供されることを条件とする第１のパフォーマンスメトリックおよび前記ＵＥが前記複数のＴＰによってサービス提供されることを条件とする第２のパフォーマンスメトリックを評価することと、
前記第１および第２のパフォーマンスメトリックに少なくとも部分的に基づいて、前記ＵＥが、前記第１の周波数上で前記複数のＴＰによってサービス提供されるべきか前記第２の周波数上で前記リレーによってサービス提供されるべきかを決定することと、
前記決定に基づいて、前記ＵＥを、前記リレーまたは前記複数のＴＰによってサービス提供されているものに、または、前記リレーまたは前記複数のＴＰによってサービス提供されているものから切り替える措置を取ることと
を備える、方法。
【請求項２】
前記措置を取ることは、
前記複数のＴＰによって現在サービス提供されている前記ＵＥにサービス提供するために前記リレーをアクティブにすること、
または、前記ＵＥに現在サービス提供している前記リレーを非アクティブにすること、
を備える、請求項１に記載の方法。
【請求項３】
前記少なくとも１つのＵＥは、ＵＥのセットを備え、
前記評価することは、ＴＰまたはリレーのうちの少なくとも１つに関連する信号対干渉雑音比（ＳＩＮＲ）に基づいて前記セット内のＵＥを順序付けることと、最も低いＳＩＮＲを有するＵＥから始めて、前記順序付けに基づいて、ＵＥのための候補リレーを評価することを備える、請求項１に記載の方法。
【請求項４】
前記ＵＥへの経路損失に基づいて評価する候補リレーを識別することをさらに備える、
または、前記評価することは、候補リレーのセット毎に第１のメトリックを計算することと、前記計算された第１のメトリックに基づいて前記リレーを選択することを備える、
または、前記第１および第２のメトリックのうちの少なくとも１つは、システム全体のユーティリティに対応するメトリックを備える、
または、前記評価することは、前記リレーによる送信のスケジューリングを予報することを備える、
または、前記方法は、予報された前記ＵＥへの送信レートについての所定の値に少なくとも部分的に基づいて前記ＵＥのために評価するリレーの候補セットを識別することをさらに備える、
または、前記リレーは、別のＵＥを備える、請求項１に記載の方法。
【請求項５】
前記評価することは、前記リレーが別のリレーに干渉しないと決定することを備える、請求項１に記載の方法。
【請求項６】
リレーされるべきデータ以外のデータを送信または受信するようにスケジュールされていないＵＥの中から候補リレーを識別することをさらに備える、請求項１に記載の方法。
【請求項７】
ワイヤレス通信のための装置であって、
第１の周波数上で複数の送信ポイント（ＴＰ）によって、または第２の周波数上でリレーによって、サービス提供されることができる少なくとも１つのＵＥを識別することと、
前記ＵＥが前記リレーによってサービス提供されることを条件とする第１のパフォーマンスメトリックおよび前記ＵＥが前記複数のＴＰによってサービス提供されることを条件とする第２のパフォーマンスメトリックを評価することと、
前記第１および第２のパフォーマンスメトリックに少なくとも部分的に基づいて、前記ＵＥが、前記第１の周波数上で前記複数のＴＰによってサービス提供されるべきか前記第２の周波数上で前記リレーによってサービス提供されるべきかを決定することと、
前記決定に基づいて、前記ＵＥを、前記リレーまたは前記複数のＴＰによってサービス提供されているものに、または、前記リレーまたは前記複数のＴＰによってサービス提供されているものから切り替える措置を取ることと
を行なうように構成されたプロセッサと、
前記プロセッサに結合されたメモリと
を備える、装置。
【請求項８】
措置を取ることは、
前記複数のＴＰによって現在サービス提供されている前記ＵＥにサービス提供するために前記リレーをアクティブにすること、
または、前記ＵＥに現在サービス提供している前記リレーを非アクティブにすること
を備える、請求項７に記載の装置。
【請求項９】
前記少なくとも１つのＵＥは、ＵＥのセットを備え、
前記評価することは、ＴＰまたはリレーのうちの少なくとも１つに関連する信号対干渉雑音比（ＳＩＮＲ）に基づいて前記セット内のＵＥを順序付けることと、最も低いＳＩＮＲを有するＵＥから始めて、前記順序付けに基づいて、ＵＥのための候補リレーを評価することを備える、請求項７に記載の装置。
【請求項１０】
前記プロセッサは、前記ＵＥへの経路損失に基づいて評価する候補リレーを識別することを行なうようにさらに構成される、
または、評価することは、候補リレーのセット毎に第１のメトリックを計算することと、前記計算された第１のメトリックに基づいて前記リレーを選択することを備える、
または、前記第１および第２のメトリックのうちの少なくとも１つは、システム全体のユーティリティに対応するメトリックを備える、
または、評価することは、前記リレーによる送信のスケジューリングを予報することを備える、
または、前記プロセッサは、予報された前記ＵＥへの送信レートについての所定の値に少なくとも部分的に基づいて前記ＵＥのために評価するリレーの候補セットを識別することを行なうようにさらに構成される、
または、前記リレーは、別のＵＥを備える、請求項７に記載の装置。
【請求項１１】
評価することは、前記リレーが別のリレーに干渉しないと決定することを備える、請求項７に記載の装置。
【請求項１２】
前記プロセッサは、リレーされるべきデータ以外のデータを送信または受信するようにスケジュールされていないＵＥの中から候補リレーを識別することを行なうようにさらに構成される、請求項７に記載の装置。
【請求項１３】
ワイヤレス通信のための装置であって、
第１の周波数上で複数の送信ポイント（ＴＰ）によって、または第２の周波数上でリレーによって、サービス提供されることができる少なくとも１つのＵＥを識別するための手段と、
前記ＵＥが前記リレーによってサービス提供されることを条件とする第１のパフォーマンスメトリックおよび前記ＵＥが前記複数のＴＰによってサービス提供されることを条件とする第２のパフォーマンスメトリックを評価するための手段と、
前記第１および第２のパフォーマンスメトリックに少なくとも部分的に基づいて、前記ＵＥが、前記第１の周波数上で前記複数のＴＰによってサービス提供されるべきか前記第２の周波数上で前記リレーによってサービス提供されるべきかを決定するための手段と、
前記決定に基づいて、前記ＵＥを、前記リレーまたは前記複数のＴＰによってサービス提供されているものに、または前記リレーまたは前記複数のＴＰによってサービス提供されているものから切り替える措置を取るための手段と
を備える、装置。
【請求項１４】
第１の周波数上で複数の送信ポイント（ＴＰ）によって、または第２の周波数上でリレーによって、サービス提供されることができる少なくとも１つのＵＥを識別することと、
前記ＵＥが前記リレーによってサービス提供されることを条件とする第１のパフォーマンスメトリックおよび前記ＵＥが前記複数のＴＰによってサービス提供されることを条件とする第２のパフォーマンスメトリックを評価することと、
前記第１および第２のパフォーマンスメトリックに少なくとも部分的に基づいて、前記ＵＥが、前記第１の周波数上で前記複数のＴＰによってサービス提供されるべきか前記第２の周波数上で前記リレーによってサービス提供されるべきかを決定することと、
前記決定に基づいて、前記ＵＥを、前記リレーまたは前記複数のＴＰによってサービス提供されているものに、または前記リレーまたは前記複数のＴＰによってサービス提供されているものから切り替える措置を取ることと
を行なうための命令を記憶したコンピュータ可読媒体を備える、ワイヤレス通信のためのプログラム製品。
【手続補正２】
【補正対象書類名】明細書
【補正対象項目名】０１０８
【補正方法】変更
【補正の内容】
【０１０８】
[0119]  本開示の先の説明は、本開示を製造または使用することをいずれの当業者にも可能にさせるために提供される。本開示に対する様々な変更は、当業者に容易に理解され、本明細書において定義された一般的な原理は、本開示の精神または範囲から逸脱せずに、他の変形例に適用され得る。従って、本開示は、本明細書で説明された例および設計に限定されるように意図されたものではなく、本明細書で開示された原理および新規な特徴と一致する最も広い範囲が付与されるべきである。
以下に本願の出願当初の特許請求の範囲に記載された発明を付記する。
［Ｃ１］
ワイヤレス通信のための方法であって、
第１の周波数上の複数の送信ポイント（ＴＰ）によって、または第２の周波数上のリレーによって、サービス提供されることができる少なくとも１つのＵＥを識別することと、
前記リレーによってサービス提供されている前記ＵＥを条件とする第１のパフォーマンスメトリックおよび前記複数のＴＰによってサービス提供されている前記ＵＥを条件とする第２のパフォーマンスメトリックを評価することと、
前記第１および第２のパフォーマンスメトリックに少なくとも部分的に基づいて、前記ＵＥが、前記第１の周波数上の前記複数のＴＰによってサービス提供されるべきか前記第２の周波数上の前記リレーによってサービス提供されるべきかを決定することと、
前記決定に基づいて、前記ＵＥを、前記リレーまたは前記複数のＴＰによってサービス提供されているものに、または、前記リレーまたは前記複数のＴＰによってサービス提供されているものから切り替える措置を取ることと
を備える、方法。
［Ｃ２］
前記措置を取ることは、前記複数のＴＰによって現在サービス提供されている前記ＵＥにサービス提供する前記リレーをアクティブにすることを備える、Ｃ１に記載の方法。
［Ｃ３］
前記措置を取ることは、前記ＵＥに現在サービス提供している前記リレーを非アクティブにすることを備える、Ｃ１に記載の方法。
［Ｃ４］
前記少なくとも１つのＵＥは、ＵＥのセットを備え、
前記評価することは、ＴＰまたはリレーのうちの少なくとも１つに関連する信号対干渉雑音比（ＳＩＮＲ）に基づいて前記セット内のＵＥを順序付けることと、最も低いＳＩＮＲを有するＵＥを始めとした、前記順序付けに基づいて、ＵＥのための候補リレーを評価することを備える、Ｃ１に記載の方法。
［Ｃ５］
前記ＵＥへの経路損失に基づいて評価する候補リレーを識別することをさらに備える、Ｃ１に記載の方法。
［Ｃ６］
前記評価することは、候補リレーのセット毎に第１のメトリックを計算することと、前記計算された第１のメトリックに基づいて前記リレーを選択することを備える、Ｃ１に記載の方法。
［Ｃ７］
前記第１および第２のメトリックのうちの少なくとも１つは、システム全体のユーティリティに対応するメトリックを備える、Ｃ１に記載の方法。
［Ｃ８］
前記評価することは、前記リレーによる送信のスケジューリングを予報することを備える、Ｃ１に記載の方法。
［Ｃ９］
予報された前記ＵＥへの送信レートについての所定の値に少なくとも部分的に基づいて前記ＵＥを評価するリレーの候補セットを識別することをさらに備える、Ｃ１に記載の方法。
［Ｃ１０］
前記リレーは、別のＵＥを備える、Ｃ１に記載の方法。
［Ｃ１１］
前記評価することは、前記リレーが別のリレーに干渉しないと決定することを備える、Ｃ１に記載の方法。
［Ｃ１２］
リレーされるべきデータ以外のデータを送信または受信するようにスケジュールされていないＵＥの中から候補リレーを識別することをさらに備える、Ｃ１に記載の方法。
［Ｃ１３］
ワイヤレス通信のための装置であって、
第１の周波数上の複数の送信ポイント（ＴＰ）によって、または第２の周波数上のリレーによって、サービス提供されることができる少なくとも１つのＵＥを識別することと、
前記リレーによってサービス提供されている前記ＵＥを条件とする第１のパフォーマンスメトリックおよび前記複数のＴＰによってサービス提供されている前記ＵＥを条件とする第２のパフォーマンスメトリックを評価することと、
前記第１および第２のパフォーマンスメトリックに少なくとも部分的に基づいて、前記ＵＥが、前記第１の周波数上の前記複数のＴＰによってサービス提供されるべきか前記第２の周波数上の前記リレーによってサービス提供されるべきかを決定することと、
前記決定に基づいて、前記ＵＥを、前記リレーまたは前記複数のＴＰによってサービス提供されているものに、または、前記リレーまたは前記複数のＴＰによってサービス提供されているものから切り替える措置を取ることと
を行なうように構成されたプロセッサと、
前記プロセッサに結合されたメモリと
を備える、装置。
［Ｃ１４］
措置を取ることは、前記複数のＴＰによって現在サービス提供されている前記ＵＥにサービス提供する前記リレーをアクティブにすることを備える、Ｃ１３に記載の装置。
［Ｃ１５］
措置を取ることは、前記ＵＥに現在サービス提供している前記リレーを非アクティブにすることを備える、Ｃ１３に記載の装置。
［Ｃ１６］
前記少なくとも１つのＵＥは、ＵＥのセットを備え、
前記評価することは、ＴＰまたはリレーのうちの少なくとも１つに関連する信号対干渉雑音比（ＳＩＮＲ）に基づいて前記セット内のＵＥを順序付けることと、最も低いＳＩＮＲを有するＵＥを始めとした、前記順序付けに基づいて、ＵＥのための候補リレーを評価することを備える、Ｃ１３に記載の装置。
［Ｃ１７］
前記プロセッサは、前記ＵＥへの経路損失に基づいて評価する候補リレーを識別することを行なうようにさらに構成される、Ｃ１３に記載の装置。
［Ｃ１８］
評価することは、候補リレーのセット毎に第１のメトリックを計算することと、前記計算された第１のメトリックに基づいて前記リレーを選択することを備える、Ｃ１３に記載の装置。
［Ｃ１９］
前記第１および第２のメトリックのうちの少なくとも１つは、システム全体のユーティリティに対応するメトリックを備える、Ｃ１３に記載の装置。
［Ｃ２０］
評価することは、前記リレーによる送信のスケジューリングを予報することを備える、Ｃ１３に記載の装置。
［Ｃ２１］
前記プロセッサは、予報された前記ＵＥへの送信レートについての所定の値に少なくとも部分的に基づいて前記ＵＥを評価するリレーの候補セットを識別することを行なうようにさらに構成される、Ｃ１３に記載の装置。
［Ｃ２２］
前記リレーは、別のＵＥを備える、Ｃ１３に記載の装置。
［Ｃ２３］
評価することは、前記リレーが別のリレーに干渉しないと決定することを備える、Ｃ１３に記載の装置。
［Ｃ２４］
前記プロセッサは、リレーされるべきデータ以外のデータを送信または受信するようにスケジュールされていないＵＥの中から候補リレーを識別することを行なうようにさらに構成される、Ｃ１３に記載の装置。
［Ｃ２５］
ワイヤレス通信のための装置であって、
第１の周波数上の複数の送信ポイント（ＴＰ）によって、または第２の周波数上のリレーによって、サービス提供されることができる少なくとも１つのＵＥを識別するための手段と、
前記リレーによってサービス提供されている前記ＵＥを条件とする第１のパフォーマンスメトリックおよび前記複数のＴＰによってサービス提供されている前記ＵＥを条件とする第２のパフォーマンスメトリックを評価するための手段と、
前記第１および第２のパフォーマンスメトリックに少なくとも部分的に基づいて、前記ＵＥが、前記第１の周波数上の前記複数のＴＰによってサービス提供されるべきか前記第２の周波数上の前記リレーによってサービス提供されるべきかを決定するための手段と、
前記決定に基づいて、前記ＵＥを、前記リレーまたは前記複数のＴＰによってサービス提供されているものに、または前記リレーまたは前記複数のＴＰによってサービス提供されているものから切り替える措置を取るための手段と
を備える、装置。
［Ｃ２６］
第１の周波数上の複数の送信ポイント（ＴＰ）によって、または第２の周波数上のリレーによって、サービス提供されることができる少なくとも１つのＵＥを識別することと、
前記リレーによってサービス提供されている前記ＵＥを条件とする第１のパフォーマンスメトリックおよび前記複数のＴＰによってサービス提供されている前記ＵＥを条件とする第２のパフォーマンスメトリックを評価することと、
前記第１および第２のパフォーマンスメトリックに少なくとも部分的に基づいて、前記ＵＥが、前記第１の周波数上の前記複数のＴＰによってサービス提供されるべきか前記第２の周波数上の前記リレーによってサービス提供されるべきかを決定することと、
前記決定に基づいて、前記ＵＥを、前記リレーまたは前記複数のＴＰによってサービス提供されているものに、または前記リレーまたは前記複数のＴＰによってサービス提供されているものから切り替える措置を取ることと
を行なうための命令を記憶したコンピュータ可読媒体を備える、ワイヤレス通信のためのプログラム製品。